(57)【特許請求の範囲】
【請求項１】
乾式壁材の端部を被覆する際に使用する役物において、水平面状の固定面と、該固定面の一端を固定面の延長線に対して内方に４５゜で屈曲した下当接面と、該下当接面の先端を内方に９０゜で屈曲した上当接面と、該上当接面の先端を内方に前記固定面と平行に屈曲した化粧面とから形成した長尺状のコ字状部材により形成したことを特徴とする端部材。
【発明の詳細な説明】
【０００１】
【産業上の利用分野】
本発明は内、外装材として使用する乾式壁材の両端部、入隅部、出隅部、中間部（継ぎ目）をカバーする端部材に関するものである。
【０００２】
【従来の技術】
従来から使用されている従来の端部材Ｐとしては、例えば一例として図１５（ａ）、（ｂ）、図１６（ａ）、（ｂ）に示すようなものが一般的であった。
【０００３】
【発明が解決しようとする課題】
しかしながら、従来の端部材Ｐは止縁Ｐ１  、入隅材Ｐ２  、出隅材Ｐ３  、ジョイナＰ４  を別個の成形機で加工する必要があり、設備に多大な投資を必要とした。また、プラスチック製（塩化ビニール製等）のものを形成する場合にも同様に、高価な押出用の成形型を４個必要とするものであった。
【０００４】
【課題を解決するための手段】
本発明はこのような欠点を除去するため、乾式壁材の端部を被覆する際に使用する役物において、水平面状の固定面と、固定面の一端を固定面の延長線に対して内方に４５゜で屈曲した下当接面と、下当接面の先端を内方に９０゜で屈曲した上当接面と、上当接面の先端を内方に前記固定面と平行に屈曲した化粧面とから形成した長尺状のコ字状部材により形成した端部材を提供するものである。
【０００５】
【実施例】
以下に図面を用いて本発明に係る端部材の一実施例について詳細に説明する。すなわち、図１（ａ）、図２（ａ）、（ｂ）、および図３は本発明に係る端部材Ａの一実施例を示す止縁Ａ１  、入隅材Ａ２  、出隅材Ａ３  、ジョイナＡ４  を示す断面図である。
【０００６】
さらに説明すると、入隅材Ａ２  、出隅材Ａ３  、ジョイナＡ４  は図１（ａ）に示すようなコ字状部材Ｂ２本を図１（ｂ）に示すようなシート状物Ｃを介して図２（ａ）、（ｂ）、および図３に示すように一体化したものである。なお、図５（ａ）、（ｂ）、および図６（ａ）、（ｂ）は施工状態を示す断面図であり、αは壁下地（新築の躯体、既存の壁等）、βは固定具、Ｄは乾式壁材である。
【０００７】
コ字状部材Ｂは水平面状の固定面１と、固定面１の一端をはぜ状に屈曲した舌片２と、他端を固定面１の延長線に対して内方に４５゜で屈曲した下当接面３と、下当接面３の先端を内方に９０゜で屈曲した上当接面４と、上当接面４の先端を固定面１と平行に屈曲した化粧面５と、化粧面５の先端を内方に傾斜して突出した傾斜化粧面６と、傾斜化粧面６の先端を内方にはぜ状に屈曲した舌片７と、化粧面５に形成した化粧溝８とから空間９を形成した長尺状のものである。
【０００８】
コ字状部材Ｂの素材としては、金属薄板材（鉄、アルミニウム、銅、ステンレス、チタン、アルミ・亜鉛合金メッキ鋼板、ホーロー鋼板、クラッド鋼板、ラミネート鋼板（塩ビ鋼板等）、サンドイッチ鋼板（制振鋼板等）等（勿論、これらを各種色調に塗装したカラー金属板を含む）の一種をロール成形、プレス成形、押出成形等によって各種形状に成形したもの）、あるいは合成樹脂材（プラスチック）の押出成型品よりなるものであり、合成樹脂材としては例えば塩化ビニール樹脂（ＰＶＣ）、ポリエチレン（ＰＥ）、ポリプロピレン（ＰＰ）、ポリカーボネート（ＰＣ）、アクリル樹脂、ポリエステル樹脂、ポリスチレン樹脂、スチロール樹脂、メタクリル樹脂、ポリウレタン樹脂、フェノール樹脂、アルキッド樹脂、ユリア樹脂（尿素樹脂）、メラミン樹脂、フッ素樹脂、ケイ素樹脂、繊維強化プラスチック（ＦＲＰ）、等の一種である。なお、塩化ビニール（ＰＶＣ）の押出品が生産性、値段、性能（耐候性）の面において良好である。
【０００９】
固定面１は端部材Ａを壁下地αに固定するための部分である。
【００１０】
下当接面３は後記するシート状物Ｃを接着する部分であると共に、コ字状部材Ｂ同士をシート状物Ｃにより一体化する部分である。また、出隅材Ａ３  の場合には当接面として機能するものである。
【００１１】
上当接面４は入隅材Ａ２  の場合には当接面として機能し、出隅材Ａ３  の場合には化粧面としても機能するものである。
【００１２】
傾斜化粧面６は傾斜して形成すると共に、化粧溝８との相乗効果により、乾式壁材Ｄの表面と常時弾力を付加した状態で接触し、化粧面５がバタ付かないようにすると共に、納まりを美しくするものである。
【００１３】
化粧溝８は化粧面５にアクセントを与え、意匠性を向上するのに有効である。
【００１４】
空間９は乾式壁材Ｄの端部を挿入する部分であると共に、乾式壁材Ｄの端部（木口面）をカバーする部分であり、乾式壁材Ｄの切断面を被覆し、端部からの雨水、風等の浸入を防止し、かつ、端部の納まりを綺麗に仕上げるのに有用である。
【００１５】
シート状物Ｃは図１（ｂ）に示すような長尺状のシートよりなり、下当接面３に接着され、コ字状部材Ｂを一体化するものであり、シート状物Ｃにより下当接面３間を連結することにより、図２（ａ）、（ｂ）、および図３に示すような入隅材Ａ２  、出隅材Ａ３  、ジョイナＡ４  を形成できるものである。入隅材Ａ２  、出隅材Ａ３  、ジョイナＡ４  にするには、図２（ａ）に示すような入隅材Ａ２  の一方のコ字状部材Ｂを、下当接面３と上当接面４間の境界を中心にして９０゜回転させて、図２（ｂ）に示すように形成するものである。また、出隅材Ａ３  を入隅材Ａ２  にするには、その逆に９０゜回転、ジョイナＡ４  にするには４５゜回転させればよいものである。
【００１６】
シート状物Ｃの素材としては、テープ（合成樹脂製テープ、紙テープ、布テープ、等よりなる片面粘着テープ、もしくは両面テープ等）、あるいは繊維シート（綿、麻、絹、毛等（植物性繊維、動物性繊維、合成樹脂製繊維等）の繊維を織ったもの、不織布としては、ポリエステル繊維、ナイロン繊維、ビニロン繊維、ボロン繊維、炭素繊維、アルミナ繊維、炭化ケイ素繊維、アラミド繊維、ガラス繊維等のシートの１種）、ゴム製シート（柔軟性を有するもの）、等、もしくはこれらの複合シート、等よりなるものである。
【００１７】
下当接面３へのシート状物Ｃの接着方法としては、粘着テープの場合にはそのまま、あるいは接着剤を介して、もしくはコ字状部材Ｂがプラスチックよりなる場合には熱融着、等の方法を採るものである。
【００１８】
また、図４のシート状物Ｃは中央部分Ｃ１  部分にのみ接着剤を形成しないものを示すものであり、このように形成することにより、出隅材Ａ３  を形成したときに、コ字状部材Ｂ同士の化粧面４間の境界に接着剤が存在しないように形成し、ゴミ等の付着を防止したものである。勿論、Ｃ１  部分に塗料等を形成し、接着性をなくしたり、化粧面５と同じ色に形成し、コ字状部材Ｂ間にシート状物Ｃが露出しても目立たなくすることもできる。
【００１９】
【その他の実施例】
以上説明したのは本発明に係る端部材の一実施例にすぎず、端部材Ａを図７〜図１４に示すように形成することもできる。すなわち、図７〜図１２は端部材Ａを合成樹脂材、あるいはアルミニウム合金の押出品により形成したものであり、特に、図８（ａ）〜（ｄ）は線状補強材１０を形成した端部材Ａ、図９（ａ）〜（ｄ）は面状補強材１１を形成した端部材Ａ、図１０（ａ）〜（ｄ）は補強材１２を形成した端部材Ａであり、固定時の強度を向上した端部材Ａである。
【００２０】
線状補強材１０、面状補強材１１、補強材１２は長尺状、あるいは図示しないが短尺状のものである。勿論、短尺状の場合には複数本使用するものである。その素材としては、金属材、合成樹脂材、繊維強化プラスチック材、あるいは繊維、布（綿、麻、毛、絹等（植物性繊維、動物性繊維、合成樹脂製繊維等））状物、等よりなり、繊維強化プラスチック材としてはグラスファイバーで強化したＦＲＰ、ボロン繊維で強化したＦＲＰ（ＢＦＲＰ）、アラミド繊維（ケブラー）で強化したＦＲＰ、ＧＦＲＰ、ＣＦＲＰ、炭素繊維で強化したＣＦＲＰ、アルミナ繊維で強化したもの、等よりなるものである。これらは強力な引っ張り強度を発揮するものであり、その直径、厚さとしては例えば、０．２〜５ｍｍ位のものである。勿論、柔軟性を有するシート状でも良い。
【００２１】
図１１はシート状物Ｃの中央部分Ｃ１  をゴム製にし、出隅材Ａ３  を形成した場合に、空間１３が形成されるようにし、シート状物Ｃが外部に露出するのを極力防止し意匠性を向上した端部材Ａである。
【００２２】
図１２はコ字状部材Ｂのその他の実施例を示すものであり、コ字状部材Ｂが合成樹脂の押出品よりなる場合、固定孔１４を形成したものであり、このように形成すると端部材Ａが固く固定されることがないために、施工された端部材Ａは熱による伸縮を吸収（左右方向への移動が可能）でき、端部材Ａ自体が伸縮により変形し、化粧面５が歪んでしまうことが無く、また、熱収縮による変形により、壁下地αから端部材Ａが剥離してしまうことがないものである。
【００２３】
【発明の効果】
上述したように本発明に係る端部材によれば、▲１▼コ字状部材とシート状物の２部材で、止縁、入隅材、出隅材、ジョイナの４部材を形成できる。▲２▼設備投資が１／４になる。▲３▼在庫管理が楽である。等の特徴、効果がある。
【図面の簡単な説明】
【図１】本発明に係る端部材の部材であるコ字状部材とシート状物を示す説明図である。
【図２】本発明に係る端部材である入隅材と出隅材を示す断面図である。
【図３】本発明に係る端部材であるジョイナを示す断面図である。
【図４】本発明に係る端部材のシート状物のその他の実施例を示す斜視図である。
【図５】本発明に係る端部材の施工状態を示す断面図である。
【図６】本発明に係る端部材の施工状態を示す断面図である。
【図７】本発明に係る端部材のその他の実施例を示す断面図である。
【図８】本発明に係る端部材のその他の実施例を示す断面図である。
【図９】本発明に係る端部材のその他の実施例を示す断面図である。
【図１０】本発明に係る端部材のその他の実施例を示す断面図である。
【図１１】本発明に係る端部材のその他の実施例を示す断面図である。
【図１２】本発明に係る端部材のその他の実施例を示す斜視図である。
【図１３】本発明に係る端部材のその他の実施例を示す断面図である。
【図１４】本発明に係る端部材のその他の実施例を示す断面図である。
【図１５】従来例を示す説明図である。
【図１６】従来例を示す説明図である。
【符号の説明】
α  壁下地
β  固定具
Ａ  端部材
Ａ１    止縁
Ａ２    入隅材
Ａ３    出隅材
Ａ４    ジョイナ
Ｂ  コ字状部材
Ｃ  シート状物
Ｃ１    中央部分
Ｄ  乾式壁材
Ｐ  従来の端部材
Ｐ１    止縁
Ｐ２    入隅材
Ｐ３    出隅材
Ｐ４    ジョイナ
１  固定面
２  舌片
３  下当接面
４  上当接面
５  化粧面
６  傾斜化粧面
７  舌片
８  化粧溝
９  空間
１０  線状補強材
１１  面状補強材
１２  補強材
１３  空間
１４  固定孔
【図１】
0003604099.tif 000002
【図２】
0003604099.tif 000003
【図３】
0003604099.tif 000004
【図４】
0003604099.tif 000005
【図５】
0003604099.tif 000006
【図６】
0003604099.tif 000007
【図７】
0003604099.tif 000008
【図８】
0003604099.tif 000009
【図９】
0003604099.tif 000010
【図１０】
0003604099.tif 000011
【図１１】
0003604099.tif 000012
【図１２】
0003604099.tif 000013
【図１３】
0003604099.tif 000014
【図１４】
0003604099.tif 000015
【図１５】
0003604099.tif 000016
【図１６】
0003604099.tif 000017